(57)【要約】【課題】  宛先番号の先頭番号が国内プレフィックス番号と同一の番号であり、２桁目の番号が国内プレフィックス番号と異なる番号である場合に、外線切替番号が付加されているか否かを判別する。【解決手段】  ユーザが宛先番号を入力するための宛先番号入力手段と、上記宛先番号の先頭番号を上記予約番号と比較する第１比較手段と、上記宛先番号の２桁目の番号を上記予約番号と比較する第２比較手段と、上記宛先番号の先頭番号が上記予約番号に一致し、２桁目の番号が上記予約番号に一致しない場合に、上記宛先番号の桁数に基づいて、上記宛先番号における上記外線切替番号の有無を判別する切替番号判別手段とを備える。【選択図】  図２
2012151624.tif 000002
【特許請求の範囲】
【請求項１】
ファクシミリ送信先を指定するための宛先番号として、内線番号と、先頭に外線切替番号が付加された外線番号とを入力することができ、上記外線切替番号が、外線番号の国内プレフィックス番号と一致する１桁の予約番号からなるファクシミリ送信装置において、
ユーザが宛先番号を入力するための宛先番号入力手段と、
上記宛先番号の先頭番号を上記予約番号と比較する第１比較手段と、
上記宛先番号の２桁目の番号を上記予約番号と比較する第２比較手段と、
上記宛先番号の先頭番号が上記予約番号に一致し、２桁目の番号が上記予約番号に一致しない場合に、上記宛先番号の桁数に基づいて、上記宛先番号における上記外線切替番号の有無を判別する切替番号判別手段とを備えることを特徴とするファクシミリ装置。
【請求項２】
市外局番及び市内局番の組み合わせを保持する局番記憶手段と、
上記宛先番号の２桁目以降の番号を上記局番記憶手段に保持される上記組み合わせと比較する局番比較手段とを備え、
上記切替番号判別手段が、上記宛先番号の先頭番号が予約番号に一致し、２桁目の番号が予約番号に一致しない場合に、上記宛先番号の桁数及び上記局番比較手段の比較結果に基づいて、上記宛先番号における上記外線切替番号の有無を判別することを特徴とする請求項１に記載のファクシミリ装置。
【請求項３】
上記外線切替番号を含まない市外発信用の外線番号の桁数である基準桁数と、上記宛先番号の桁数とを比較する桁数比較手段を備え、
上記切替番号判別手段は、上記宛先番号の先頭番号が上記予約番号に一致し、２桁目の番号が上記予約番号に一致しない場合であって、上記宛先番号の桁数が上記基準桁数と一致し、かつ、上記宛先番号の２桁目以降の番号が、上記局番記憶手段に保持される上記組み合わせのいずれかと一致する場合に、上記宛先番号に上記外線切替番号が付加されていないと判別することを特徴とする請求項２に記載のファクシミリ装置。
【請求項４】
市内局番を保持する市内局番記憶手段と、
上記宛先番号の２桁目以降の番号を上記市内局番記憶手段に保持される市内局番と比較する局番比較手段とを備え、
上記切替番号判別手段が、上記宛先番号の先頭番号が予約番号に一致し、２桁目の番号が予約番号に一致しない場合であって、上記宛先番号の桁数が６桁から９桁である場合に、上記局番比較手段の比較結果に基づいて、上記宛先番号における上記外線切替番号の有無を判別することを特徴とする請求項３に記載のファクシミリ装置。
【請求項５】
上記宛先番号として、先頭に外線切替番号が付加された外線番号、及び、先頭に外線切替番号が付加されていない内線番号が入力される内線送信モードと、上記宛先番号として、先頭に外線切替番号が付加されていない外線番号が入力される外線送信モードとを切り替える送信先切替手段と、
上記送信先切替手段により上記内線送信モードが指定されている場合に、上記切替番号判別手段の判別結果に基づいて、ユーザに上記外線切替番号の入力を促す報知手段とを備えることを特徴とする請求項１に記載のファクシミリ装置。
【発明の詳細な説明】
【技術分野】
【０００１】
本発明は、ファクシミリ装置に係り、更に詳しくは、送信先として内線番号及び外線番号を指定可能なファクシミリ装置の改良に関する。
【背景技術】
【０００２】
ファクシミリ装置では、ユーザが宛先番号を入力することにより、ＰＳＴＮ（Public Switched Telephone Network：公衆電話回線網）を介して、送信先へ画像データの送信を行うことができる。また、送信先として内線番号が指定された場合、ＰＳＴＮを介さずに画像データの送信を行うこともできる。
【０００３】
ユーザが宛先番号を入力する場合、宛先番号の先頭に外線切替番号、例えば、「０」を付加すれば、送信先として外線番号が指定される。一方、宛先番号の先頭に外線切替番号が付加されていなければ、送信先として内線番号が指定される。このため、ユーザが外線切替番号を入力し忘れた場合、ユーザの意図に反して送信先として内線番号が指定されることがある。更に、宛先番号の先頭に外線切替番号を付加することにより送信先として外線番号が指定される内線送信モードと、宛先番号の先頭に外線切替番号を付加されなくても外線番号が指定される外線送信モードとを切替可能なファクシミリ装置もあり、このような装置では、外線切替番号の入力忘れが特に起こり易い。
【０００４】
このため、特許文献１及び２のファクシミリ装置では、宛先番号の先頭に外線切替番号が付加されていない場合に、宛先番号の桁数が内線番号の桁数よりも大きければ、送信先は外線番号であると判別して宛先番号の先頭に外線切替番号を付加している。このため、ユーザが外線切替番号を入力し忘れたときに、外線切替番号を自動的に付加することができる。
【先行技術文献】
【特許文献】
【０００５】
【特許文献１】特開平０６−０１４３５６
【特許文献２】特開平１１−２９８５８３
【発明の概要】
【発明が解決しようとする課題】
【０００６】
図７は、宛先番号の一例を示した説明図であり、宛先番号が外線発信用の番号である場合の例が示されている。図７（ａ）には、宛先番号が、市外局番を含む外線発信用の番号である場合の一例が示され、図７（ｂ）には、宛先番号が、市外局番を含まない外線発信用の番号からなる場合の一例が示されている。
【０００７】
図７（ａ）には、宛先番号「０−０３−３５８１−１１０１」が示されている。この宛先番号は市外発信用の番号であり、先頭から、外線切替番号Ａ１の「０」、国内プレフィックス番号Ａ２の「０」、市外局番Ａ３の「３」、市内局番Ａ４の「３５８１」、加入者番号Ａ５の「１１０１」が順に入力される。外線切替番号Ａ１は、外線番号であることを示すための番号であり、通常、「０」からなる。国内プレフィックス番号Ａ２は、国内通話であることを示すための１桁の番号であり、日本国内では「０」となっている。市外局番Ａ３は、地域ごとに割り当てられる番号であり、１〜４桁の番号からなる。市内局番Ａ４は、上記地域内の市内電話交換機ごとに割り当てられる番号であり、１〜４桁の番号からなる。加入者番号Ａ５は、加入者ごとに割り当てられる番号であり、４桁の番号からなる。
【０００８】
図７（ｂ）には、宛先番号「０−３５８１−１１０１」が示されている。この宛先番号は市内発信用の番号であり、先頭から、外線切替番号Ａ１の「０」、市内局番Ａ４の「３５８１」、加入者番号Ａ５の「１１０１」が順に入力される。
【０００９】
宛先番号が市外発信用の番号である場合、外線切替番号Ａ１の「０」の次に国内通話であることを示す国内プレフィックス番号Ａ２の「０」が続くため、「０」が２回連続して入力される。国内プレフィックス番号Ａ２の次には、市外局番Ａ３が入力されるため、「０」以外の番号が入力される。この場合、「０」が２回連続していることから、この宛先番号が外線発信用の番号であり、先頭が外線切替番号Ａ１であることを容易に判別することができる。
【００１０】
一方、宛先番号が市内発信用の番号である場合、外線切替番号Ａ１の次に市内局番Ａ４が入力されるため、外線切替番号Ａ１の「０」の次に、「０」とは異なる番号が入力される。しかも、市外発信用の宛先番号の入力時に、ユーザが外線切替番号Ａ１を入力し忘れた場合にも、最初に国内プレフィックス番号Ａ２の「０」が入力され、次に「０」とは異なる番号が入力される。このため、特許文献１及び２のファクシミリ装置では、最初に入力された「０」について、外線切替番号Ａ１の「０」が入力されたのか、ユーザが外線切替番号Ａ１を入力し忘れたために国内プレフィックス番号Ａ２の「０」が入力されたのかを判別することができないという問題があった。この場合、誤った送信先へ画像データが送信されてしまうという問題があった。また、外線切替番号Ａ１として「０」が用いられているために、内線番号として「０」で始まる番号が採用できず、内線番号の選択の自由度が小さいという問題があった。
【００１１】
本発明は、上記の事情に鑑みてなされたものであり、入力された宛先番号の先頭番号が国内プレフィックス番号と同一の番号であり、２桁目の番号が国内プレフィックス番号と異なる番号である場合であっても、外線番号が付加されているか否かを判別することができるファクシミリ装置を提供することを目的とする。また、内線番号の選択の自由度のより大きいファクシミリ装置を提供することを目的とする。
【課題を解決するための手段】
【００１２】
第１の本発明によるファクシミリ装置は、ファクシミリ送信先を指定するための宛先番号として、内線番号と、先頭に外線切替番号が付加された外線番号とを入力することができ、上記外線切替番号が、外線番号の国内プレフィックス番号と一致する１桁の予約番号からなるファクシミリ送信装置において、ユーザが宛先番号を入力するための宛先番号入力手段と、上記宛先番号の先頭番号を上記予約番号と比較する第１比較手段と、上記宛先番号の２桁目の番号を上記予約番号と比較する第２比較手段と、上記宛先番号の先頭番号が上記予約番号に一致し、２桁目の番号が上記予約番号に一致しない場合に、上記宛先番号の桁数に基づいて、上記宛先番号における上記外線切替番号の有無を判別する切替番号判別手段とを備えるように構成される。
【００１３】
この様な構成によれば、宛先番号の先頭番号が予約番号と一致し、宛先番号の２桁目の番号が予約番号と一致しない場合であっても、外線切替番号の有無を判別することができる。すなわち、市外発信用の宛先番号が入力された場合に、ユーザが外線切替番号を入力し忘れたとしても、宛先番号の先頭番号が外線切替番号であるのか、或いは、国内プレフィックス番号であるのかを判別することができる。このため、ユーザが外線切替番号を入力し忘れた場合に、誤った送信先へファクシミリ送信が行われることを抑制することができる。
【００１４】
第２の本発明によるファクシミリ装置は、上記構成に加え、市外局番及び市内局番の組み合わせを保持する局番記憶手段と、上記宛先番号の２桁目以降の番号を上記局番記憶手段に保持される上記組み合わせと比較する局番比較手段とを備え、上記切替番号判別手段が、上記宛先番号の先頭番号が予約番号に一致し、２桁目の番号が予約番号に一致しない場合に、上記宛先番号の桁数及び上記局番比較手段の比較結果に基づいて、上記宛先番号における上記外線切替番号の有無を判別するように構成される。
【００１５】
この様な構成によれば、市外局番及び市内局番の組合せと、宛先番号とを比較することにより、外線切替番号の入力忘れに起因する宛先番号のずれを確認することができる。従って、外線切替番号の入力忘れの判別を精度良く行うことができる。
【００１６】
第３の本発明によるファクシミリ装置は、上記構成に加え、上記外線切替番号を含まない市外発信用の外線番号の桁数である基準桁数と、上記宛先番号の桁数とを比較する桁数比較手段を備え、上記切替番号判別手段は、上記宛先番号の先頭番号が上記予約番号に一致し、２桁目の番号が上記予約番号に一致しない場合であって、上記宛先番号の桁数が上記基準桁数と一致し、かつ、上記宛先番号の２桁目以降の番号が、上記局番記憶手段に保持される上記組み合わせのいずれかと一致する場合に、上記宛先番号に上記外線切替番号が付加されていないと判別するように構成される。
【００１７】
第４の本発明によるファクシミリ装置は、上記構成に加え、市内局番を保持する市内局番記憶手段と、上記宛先番号の２桁目以降の番号を上記市内局番記憶手段に保持される市内局番と比較する局番比較手段とを備え、上記切替番号判別手段が、上記宛先番号の先頭番号が予約番号に一致し、２桁目の番号が予約番号に一致しない場合であって、上記宛先番号の桁数が６桁から９桁である場合に、上記局番比較手段の比較結果に基づいて、上記宛先番号における上記外線切替番号の有無を判別するように構成される。
【００１８】
この様な構成によれば、宛先番号の先頭番号が予約番号に一致し、２桁目の番号が予約番号に一致しない場合に、この宛先番号が、先頭に外線切替番号が付加された外線番号であるか、或いは、先頭が予約番号で始まる内線番号であるかを判別することができる。このため、先頭が予約番号で始まる内線番号、或いは、外線番号と同じ桁数の内線番号を外線番号と区別することができ、内線番号の選択の自由度が大きい。
【００１９】
第５の本発明によるファクシミリ装置は、上記構成に加え、上記宛先番号として、先頭に外線切替番号が付加された外線番号、及び、先頭に外線切替番号が付加されていない内線番号が入力される内線送信モードと、上記宛先番号として、先頭に外線切替番号が付加されていない外線番号が入力される外線送信モードとを切り替える送信先切替手段と、上記送信先切替手段により上記内線送信モードが指定されている場合に、上記切替番号判別手段の判別結果に基づいて、ユーザに上記外線切替番号の入力を促す報知手段とを備えるように構成される。
【００２０】
この様な構成によれば、外線番号を送信先として指定するために外線切替番号の付加が必要な内線送信モードと、外線切替番号の付加が不要な外線送信モードとを切り替えることができる。また、ユーザが、外線送信モードから内線送信モードへ切り替わったことに気付かずに外線切替番号を付加し忘れた場合に、ユーザに外線切替番号の入力を促すことができるので、利便性が大きい。
【発明の効果】
【００２１】
本発明によるファクシミリ装置は、宛先番号の先頭番号が予約番号と一致し、宛先番号の２桁目の番号が予約番号と一致しない場合に、外線切替番号の有無を判別することができる。このため、市外発信用の宛先番号が入力された場合に、ユーザが外線切替番号を入力し忘れたとしても、宛先番号の先頭番号が外線切替番号であるのか否かを判別することができる。このため、ユーザが外線切替番号を入力し忘れた場合に、誤った送信先へファクシミリ送信が行われることを抑制することができる。
【図面の簡単な説明】
【００２２】
【図１】本発明の実施の形態によるファクシミリ装置を含むファクシミリ通信システムの一構成例を示したシステム図である。
【図２】図１の複合機１の構成例を示したブロック図であり、複合機１内の機能構成の一例が示されている。
【図３】図１の複合機１におけるファクシミリ送信処理時の動作の一例を示したフローチャートである。
【図４】図１の複合機１におけるファクシミリ送信処理時の動作の一例を示したフローチャートである。
【図５】図１の複合機１におけるファクシミリ送信処理時の動作の一例を示したフローチャートである。
【図６】図１の複合機１におけるファクシミリ送信処理時の動作の一例を示したフローチャートである。
【図７】宛先番号の一例を示した説明図である。
【発明を実施するための形態】
【００２３】
図１は、本発明の実施の形態によるファクシミリ装置を含むファクシミリ通信システムの一構成例を示したシステム図であり、ファクシミリ装置の一例として複合機１が示されている。このファクシミリ通信システムは、複数の複合機１と電話機２とが、交換機３を介してＰＳＴＮ（Public Switched Telephone Network：公衆電話回線網）４に接続され、各複合機１の間でファクシミリ送受信を行うシステムである。
【００２４】
複合機１は、プリンタ機能、スキャナ機能及びファクシミリ機能を有するＭＦＰ（Multifunction Peripheral）であり、これらの機能を選択的に実行させることができる。この複合機１では、ユーザが宛先番号を入力することにより、送信先の複合機１へ画像データの送信を行っている。この複合機１では、送信先として内線番号及び外線番号のいずれの宛先番号も入力することができる。
【００２５】
交換機３は、複合機１から指定された宛先番号に対応する複合機１との通信状態を確立させる動作を行っている。具体的には、複合機１から外線番号が送信先として指定された場合には、ＰＳＴＮ（Public Switched Telephone Network：公衆電話回線網）４を介して、送信先の複合機１との通信状態を確立させている。一方、複合機１から内線番号が送信先として指定された場合には、ＰＳＴＮ４を経由せずに、送信先の複合機１との通信状態を確立させている。
【００２６】
複合機１では、宛先番号の先頭番号として外線切替番号Ａ１が入力されたか否かに応じて、送信先として内線番号及び外線番号のいずれかを指定している。更に、ユーザが外線切替番号Ａ１を入力し忘れた場合には、外線切替番号Ａ１の入力忘れを判別することができる。
【００２７】
図２は、図１の複合機１の構成例を示したブロック図であり、複合機１内の機能構成の一例が示されている。この複合機１は、宛先番号入力部２１、予約番号比較部３０、送信先切替部２２、桁数比較部２３、局番記憶部２４、局番比較部２５、内線番号比較部２６、内線番号記憶部２７、切替番号判別部２８、誤入力判別部２９、外線送信部３１、内線送信部３２及び報知部３３により構成される。
【００２８】
宛先番号入力部２１は、ファクシミリ送信先を指定するための宛先番号が入力されるユーザインターフェースであり、例えば、数字入力キーなどの各種操作ボタンからなる。送信先切替部２２は、ユーザの操作入力に基づいて、送信先として内線番号及び外線番号のいずれも指定可能な内線送信モードと、送信先として外線番号のみが指定可能な外線送信モードとの２つの送信モードを切り替える動作を行っている。この内線送信モードでは、外線発信の送信先が指定される場合、先頭に外線切替番号Ａ１が付加された外線番号が入力される。この外線切替番号Ａ１は、１桁の予約番号からなる。一方、内線発信の送信先が指定される場合、先頭に外線切替番号Ａ１は付加されない。また、外線送信モードでは、外線発信の送信先のみが指定されるため、外線切替番号Ａ１が付加されていない外線番号が入力される。以下、内線送信モードが指定されている場合の動作について説明する。
【００２９】
予約番号比較部３０は、ユーザにより入力された宛先番号の先頭番号及び２桁目の番号を１桁の予約番号とそれぞれ比較する動作を行っている。予約番号は、外線番号の国内プレフィックス番号Ａ２及び外線切替番号Ａ１として採用されている特定の番号「０」である。予約番号比較部３０は、第１比較部３０１及び第２比較部３０２からなる。第１比較部３０１は、宛先番号の先頭番号を予約番号と比較する動作を行っている。第２比較部３０２は、宛先番号の２桁目の番号を予約番号と比較する動作を行っている。具体的には、内線送信モードが指定され、かつ、宛先番号の先頭番号が「０」に一致する場合に、宛先番号の２桁目の番号が予約番号「０」に一致するか否かを判別している。
【００３０】
桁数比較部２３は、宛先番号の桁数を基準桁数と比較する動作を行っている。この基準桁数は、外線切替番号を含まない市外発信用の外線番号の桁数である。すなわち、図７（ａ）に示すように、国内プレフィックス番号Ａ２及び市外局番Ａ３を含むファクシミリ番号は、外線切替番号Ａ１を含めなければ１０桁になる。このため、桁数比較部２３では、この１０桁を基準桁数として宛先番号の桁数と比較する動作を行っており、宛先番号の桁数が基準桁数に一致するか否かを判別している。
【００３１】
また、桁数比較部２３は、宛先番号の桁数が１０桁とは異なる場合に、宛先番号の桁数が６〜９桁であるかを判別している。市内局番Ａ４が１〜４桁であり、加入者番号Ａ５が４桁であることから、市外局番Ａ４を含まない外線番号は、外線切替番号Ａ１を含めて６〜９桁となる。このため、桁数比較部２３は、宛先番号の桁数がこの範囲内にあるか否かを判別することにより、宛先番号が外線番号であるのか、或いは、内線番号であるのかを判別している。
【００３２】
局番記憶部２４には、市外局番Ａ３及び市内局番Ａ４の組み合わせが保持されている。具体的には、局番記憶部２４には、国内の外線番号に割り当てられた各市外局番Ａ３及び各市内局番Ａ４が保持されるとともに、各市内局番Ａ４が、対応する市外局番Ａ３に関連付けられて保持されている。なお、市外局番Ａ３及び市内局番Ａ４は、桁数の合計が５桁で一定になるように対応付けられている。
【００３３】
局番比較部２５は、宛先番号の一部と局番記憶部２４に保持されている市外局番Ａ３及び市内局番Ａ４を組み合わせた５桁の番号とを比較する動作を行っている。具体的には、宛先番号から先頭の予約番号「０」、或いは、１〜２桁目の２つの予約番号「０」を除いた残りの番号と、宛先番号の一部と局番記憶部２４に保持されている市外局番Ａ３及び市内局番Ａ４を組み合わせた５桁の番号とを比較している。
【００３４】
例えば、宛先番号の先頭が予約番号に一致し、２桁目の番号が予約番号に一致しない場合、局番比較部２５は、宛先番号の２桁目以降の番号と、市外局番Ａ３及び市内局番Ａ４を組み合わせた５桁の番号とを比較する動作を行っている。すなわち、ユーザが外線切替番号Ａ１を入力し忘れた場合、市外局番Ａ３を含む宛先番号であれば、国内プレフィックス番号Ａ２、市外局番Ａ３及び市内局番Ａ４の順に入力される。このため、宛先番号の２〜６桁目の番号を局番記憶部２４に保持されている市外局番Ａ３及び市内局番Ａ４を組み合わせた５桁の番号と比較することにより、外線切替番号Ａ１の入力忘れに起因して番号がずれていることを判別することができる。特に、市内局番Ａ４の桁数によらず、組み合わせた桁数は一定であるため、番号のずれを精度良く判別することができる。なお、宛先番号の先頭は予約番号であることが既知の場合には、宛先番号の１〜６桁目を比較してもよいことはいうまでもない。
【００３５】
また、局番比較部２５は、宛先番号から先頭の予約番号「０」を除いた残りの番号を局番記憶部２４に保持される市内局番Ａ４と比較することにより、宛先番号が市内発信用の番号であるか否かを判別する動作を行っている。例えば、宛先番号の先頭が予約番号「０」に一致し、２桁目の番号が予約番号に一致しない場合、宛先番号の２桁目以降の番号を局番記憶部２４に保持される市内局番Ａ４と比較している。
【００３６】
切替番号判別部２８は、宛先番号の先頭番号が予約番号に一致し、２桁目の番号が予約番号に一致しない場合に、宛先番号の桁数に基づいて、宛先番号における外線切替番号Ａ１の有無を判別する動作を行っている。すなわち、先頭番号が予約番号「０」に一致し、２桁目の番号が「０」とは異なる番号であった場合、先頭番号の「０」が外線切替番号Ａ１の「０」であるのか、或いは、ユーザが外線切替番号Ａ１を入力し忘れたことにより、国内プレフィックス番号Ａ２の「０」が先頭番号として入力されているのかを判別できず、外線切替番号Ａ１の有無を判別できない。そこで、切替番号判別部２８は、宛先番号の桁数が基準桁数と一致していれば、先頭番号の「０」は国内プレフィックス番号Ａ２であると判別している。すなわち、先頭番号の「０」が外線切替番号Ａ１であったとすれば、図７（ｂ）に示すように、宛先番号は、外線切替番号Ａ１、市内局番Ａ４及び加入者番号Ａ５からなり、桁数は６〜９桁となる。一方、先頭番号の「０」が国内プレフィックス番号Ａ２であったとすれば、図７（ａ）に示すように、宛先番号は、国内プレフィックス番号Ａ２、市外局番Ａ３、市内局番Ａ４及び加入者番号Ａ５からなり、桁数は１０桁となる。切替番号判別部１０は、この桁数の違いを利用して、外線切替番号Ａ１の有無を判別している。
【００３７】
より詳しくは、切替番号判別部２８は、宛先番号の先頭番号が予約番号に一致し、２桁目の番号が予約番号に一致しない場合に、宛先番号の桁数及び局番比較部２５の比較結果に基づいて、宛先番号における外線切替番号Ａ１の有無を判別している。上述したように、局番比較部２５は、宛先番号の２桁目以降の番号を局番記憶部２４に保持されている市外局番Ａ３及び市内局番Ａ４を組み合わせた５桁の番号と比較することにより、外線切替番号Ａ１の入力忘れに起因する番号のずれを判別している。このため、切替番号判別部２８は、宛先番号における外線切替番号Ａ１の有無を判別する際、この番号のずれを確認することにより、外線切替番号Ａ１の有無を判別する精度を更に向上させている。
【００３８】
同様に、宛先番号が市内発信用の番号であると推定される場合、すなわち、宛先番号の先頭番号が予約番号に一致し、２桁目の番号が予約番号に一致しない場合であって、宛先番号の桁数が６桁から９桁である場合にも、切替番号判別部２８は、局番比較部２５の比較結果に基づいて、宛先番号における外線切替番号Ａ１の有無を判別することにより、外線切替番号Ａ１の有無を判別する精度を向上させている。
【００３９】
内線番号記憶部２７には、内線番号Ａ６が保持されている。ここでは、複合機１が送信先として指定可能な各内線番号Ａ６が保持されている。内線番号比較部２６は、宛先番号と、各内線番号Ａ６とを比較する動作を行っている。
【００４０】
誤入力判別部２９は、宛先番号が、市外発信用又は市内発信用の外線番号のいずれでもなく、内線番号Ａ６とも一致しないと判別される場合に、宛先番号が誤入力されたと判別する動作を行っている。
【００４１】
外線送信部３１は、宛先番号が外線発信用の番号であり、外線切替番号Ａ１が付加されていると判別された場合に、宛先番号により指定される送信先へＰＳＴＮ４を介して画像データを送信する動作を行っている。内線送信部３２は、宛先番号が内線発信用の番号であると判別された場合に、宛先番号により指定される送信先へＰＳＴＮ４を経由せずに画像データを送信する動作を行っている。
【００４２】
報知部３３は、送信先切替部２２により内線送信モードが指定されている場合に、切替番号判別部２８の判別結果に基づいて、ユーザに外線切替番号Ａ１の入力を促す動作を行っている。例えば、複合機１のディスプレイに外線切替番号Ａ１の入力を促す表示を行う。また、誤入力判別部２９により宛先番号が誤入力されたと判別された場合に、ユーザに宛先番号の再確認を促す動作を行う。
【００４３】
本実施の形態によれば、宛先番号の先頭番号が予約番号と一致し、宛先番号の２桁目の番号が予約番号と一致しない場合であっても、外線切替番号Ａ１の有無を判別することができる。すなわち、市外局番Ａ３を含む外線発信用の宛先番号が入力された場合に、ユーザが外線切替番号Ａ１を入力し忘れたとしても、宛先番号の先頭番号が外線切替番号Ａ１であるのか、或いは、国内プレフィックス番号Ａ２であるのかを判別することができる。このため、ユーザが外線切替番号Ａ１を入力し忘れた場合に、誤った送信先へファクシミリ送信が行われることを抑制することができる。
【００４４】
また、局番比較部２５が、局番記憶部２４に保持される市外局番及び市内局番の組合せと、宛先番号とを比較するので、外線切替番号の入力忘れに起因する宛先番号のずれを確認することができる。従って、外線切替番号の入力忘れの判別を精度良く行うことができる。
【００４５】
更に、外線番号を送信先として指定するために外線切替番号Ａ１の付加が必要な内線送信モードと、外線切替番号Ａ１の付加が不要な外線送信モードとを切り替えることができる。また、ユーザが外線送信モードから内線送信モードへ切り替わったことに気付かずに、外線切替番号を付加し忘れた場合、ユーザに外線切替番号Ａ１の入力を促すことができるので、利便性が大きい。
【００４６】
図３〜図６のステップＳ１０１〜Ｓ４０７は、図１の複合機１におけるファクシミリ送信処理時の動作の一例を示したフローチャートである。まず、ユーザにより宛先番号の入力が行われる（ステップＳ１０１）。このとき、複合機１の送信モードが内線送信モードであれば、第１比較部３０１により、宛先番号の先頭番号が予約番号「０」と比較される（ステップＳ１０２，Ｓ１０３）。その結果、先頭番号が予約番号に一致していれば、第２比較部３０２により、宛先番号の２桁目の番号が予約番号「０」と比較される（ステップＳ１０４）。つまり、内線送信モード時には、宛先番号の先頭番号が予約番号に一致するのかが判別され、一致している場合には、宛先番号の２桁目の番号が、予約番号「０」と一致するのかが判別される。
【００４７】
内線送信モード時に、宛先番号の先頭番号が予約番号「０」と一致し、宛先番号の２桁目の番号が予約番号「０」と一致しなかった場合、桁数比較部２３により、宛先番号の桁数が基準桁数と比較される（ステップＳ１０５）。基準桁数は、外線切替番号Ａ１が付加されていない市外発信のための外線番号の桁数であり、市外局番及び市内局番の組み合わせにかかわらず、１０桁となる。
【００４８】
更に、宛先番号の桁数が基準桁数に一致していた場合、局番比較部２５において、宛先番号の２〜６桁目の番号が、局番記憶部２４に保持されている市外局番Ａ３及び市内局番Ａ４の組み合わせのいずれかと一致するのかが判別される（ステップＳ１０６）。宛先番号の２〜６桁目の番号が、市外局番Ａ３及び市内局番Ａ４の組み合わせと一致した場合、宛先番号は、外線切替番号が付加されてない市外発信のための外線番号であると判別することができる。このため、報知部３３が、ユーザに対し、宛先番号として、外線切替番号Ａ１を付加した外線番号を入力することを促す表示を行う（ステップＳ１０７）。
【００４９】
この様にして、宛先番号の先頭番号が予約番号「０」と一致し、２桁目の番号が予約番号「０」と一致しない場合、宛先番号の桁数を基準桁数と比較すれば、その比較結果に基づいて、当該宛先番号が、外線切替番号が付加されていない市外発信のための外線番号であると判別することができる。さらに、宛先番号の２桁目以降の番号が、市外局番Ａ３及び市内局番Ａ４の組み合わせと一致するか否かを比較することにより、この比較結果に基づいて、宛先番号が、外線切替番号が付加されていない市外発信のための外線番号であることをより精度よく判別することができる。例えば、誤って入力された宛先番号や、先頭番号が「０」となる内線番号と区別しながら、外線切替番号が付加されていない市外発信のための外線番号を判別することができる。
【００５０】
また、内線送信モードが指定されている場合に、外線切替番号が付加されているか否かの判別結果に基づいて、ユーザに外線切替番号の入力を促すので、ユーザが、外線送信モードから内線送信モードへ切り替わったことに気付かずに外線切替番号を付加し忘れた場合に、ユーザに外線切替番号の入力を促すことができる。
【００５１】
また、ステップＳ１０６において、宛先番号の２〜６桁目の番号が、局番記憶部２４に保持されている組み合わせのいずれとも一致しない場合、内線番号比較部２６が、宛先番号と内線番号記憶部２７に保持されている内線番号Ａ６との比較を行う（ステップＳ１０８）。宛先番号が、内線番号記憶部２７に保持されている内線番号Ａ６と一致する場合、内線送信部３２が、宛先番号に対応する送信先へＰＳＴＮ４を経由せずにファクシミリ送信を行う（ステップＳ１０９）。ステップＳ１０８において、宛先番号が内線番号記憶部２７に保持されている内線番号Ａ６のいずれとも一致しない場合、誤入力判別部２９が、宛先番号の誤入力が行われたと判別し、宛先番号の再確認をユーザに促す表示を行う（ステップＳ１１０）。
【００５２】
ステップＳ１０５において、宛先番号が基準桁数と一致しない場合、桁数比較部２３により、宛先番号の桁数が６〜９桁であるかの判別が行われる（ステップＳ２０１）。宛先番号の桁数が６〜９桁である場合、局番比較部２５が、宛先番号の２桁目以降の１〜４桁の番号を局番記憶部２４に保持されている市内局番Ａ４と比較する動作を行う（ステップＳ２０２）。宛先番号の２桁目以降の番号が市内局番Ａ４のいずれかに一致する場合、この宛先番号を送信先としてファクシミリ送信が行われ、処理を終了する（ステップＳ２０３）。
【００５３】
この様にして、宛先番号の先頭番号が予約番号「０」に一致し、２桁目の番号が予約番号「０」と一致しない場合であって、宛先番号の桁数が６〜９桁である場合に、宛先番号の２桁目以降の番号を局番記憶部２４に保持されている市内局番Ａ３と比較すれば、その比較結果に基づいて、当該宛先番号における外線切替番号の有無を精度良く判別することができる。すなわち、当該宛先番号が、先頭に外線切替番号が付加された外線番号であるか、先頭が予約番号で始まる内線番号であるかを判別することができる。このため、先頭が予約番号で始まる内線番号、或いは、外線番号と同じ桁数の内線番号を外線番号と区別することができ、内線番号の選択の自由度が大きい。
【００５４】
また、ステップＳ２０２において、宛先番号の２桁目以降の１〜４桁の番号が市内局番Ａ４のいずれとも一致しない場合、内線番号比較部２６により、宛先番号が内線番号記憶部２７に保持される内線番号Ａ６のいずれかと一致するかの判別が行われる（ステップＳ２０４）。宛先番号が内線番号Ａ６のいずれとも一致しない場合、誤入力判別部２９が、宛先番号の誤入力が行われたと判別し、宛先番号の再確認をユーザに促す表示が行われ、処理を終了する（ステップＳ２０５）。一方、宛先番号が内線番号Ａ６と一致する場合、この宛先番号を送信先としてファクシミリ送信が行われ、処理を終了する（ステップＳ２０３）。また、ステップＳ２０１において、宛先番号の桁数が６〜９桁でない場合、処理手順はステップＳ２０４に移行する。同様に、ステップＳ１０３において、宛先番号の先頭番号が予約番号「０」と一致しない場合、処理手順はステップＳ２０４に移行する。
【００５５】
ステップＳ１０４において、宛先番号の２桁目の番号が予約番号「０」と一致する場合、桁数比較部２３により、宛先番号の桁数が１１桁であるのかが判定される（ステップＳ３０１）。この１１桁とは、外線切替番号Ａ１及び市外局番Ａ３を含むファクシミリ番号が入力された場合の桁数である。宛先番号の桁数が１１桁である場合、局番比較部２５により、宛先番号の３〜７桁目の番号が、局番記憶部２４に保持される市外局番Ａ３と市内局番Ａ４との組み合わせのいずれかに一致するのかが判別される（ステップＳ３０２）。宛先番号の３〜７桁目の番号がこの組み合わせのいずれかに一致する場合、この宛先番号を送信先としてファクシミリ送信が行われ、処理を終了する（ステップＳ３０３）。
【００５６】
また、ステップＳ３０２において、宛先番号の３〜７桁目の番号が、局番記憶部２４に保持される市外局番Ａ３及び市内局番Ａ４の組み合わせのいずれとも一致しない場合、内線番号比較部２６により、宛先番号が内線番号記憶部２７に保持される内線番号Ａ６のいずれかと一致するかの判別が行われる（ステップＳ３０４）。宛先番号が内線番号Ａ６のいずれとも一致しない場合、誤入力判別部２９が、宛先番号の誤入力が行われたと判別し、報知部３３により宛先番号の再確認をユーザに促す表示が行われ、処理を終了する（ステップＳ３０５）。ステップＳ３０４において、宛先番号が内線番号Ａ６と一致する場合、処理手順は、ステップＳ３０３に移行する。また、ステップＳ３０１において、宛先番号の桁数が１１桁でない場合、処理手順は、ステップＳ３０４に移行する。
【００５７】
ステップＳ１０２において、送信モードが外線送信モードであれば、第１比較部３０１により、宛先番号の先頭番号が予約番号「０」に一致するかが判別される（ステップＳ４０１）。宛先番号の先頭番号が予約番号と一致する場合、桁数比較部２３により、宛先番号の桁数が、１０桁の基準桁数と一致するのかが判別される（ステップＳ４０２）。外線送信モードでは、外線切替番号Ａ１が入力されないため、市外発信用の外線番号の桁数は１０桁となる。宛先番号の桁数が基準桁数と一致する場合、局番比較部２５により、宛先番号の２〜６桁目の番号が、局番記憶部２４に保持されている市外局番Ａ３及び市内局番Ａ４の組み合わせのいずれかに一致するかが判別される（ステップＳ４０３）。宛先番号の２〜６桁目の番号が、市外局番Ａ３及び市内局番Ａ４の組み合わせのいずれかに一致する場合、外線送信部３１により宛先番号を送信先としてファクシミリ送信が行われ、処理を終了する（ステップＳ４０４）。
【００５８】
また、ステップＳ４０３において、宛先番号の２〜６桁目の番号が、市外局番Ａ３及び市内局番Ａ４の組み合わせのいずれとも一致しない場合、誤入力判別部２９が、宛先番号の誤入力が行われたと判別し、宛先番号の再確認をユーザに促す表示が行われ、処理を終了する（ステップＳ４０７）。また、ステップＳ４０２において、宛先番号の桁数が基準桁数と異なる場合、処理手順は、ステップＳ４０７に移行する。
【００５９】
ステップＳ４０１において、宛先番号の先頭番号が予約番号と一致しない場合、局番比較部２５により、宛先番号の１〜４桁目の番号が局番記憶部２４に保持される市内局番Ａ４と比較される（ステップＳ４０５）。ステップＳ４０５において、宛先番号の１〜４桁目の番号が局番記憶部２４に保持される市内局番Ａ４のいずれかと一致する場合、処理手順は、ステップＳ４０４に移行する。ステップＳ４０５において、宛先番号の１〜４桁目の番号が市内局番Ａ４のいずれとも一致しない場合、誤入力判別部２９が、宛先番号の誤入力が行われたと判別し、宛先番号の再確認をユーザに促す表示が行われ、処理を終了する（ステップＳ４０６）。
【００６０】
本実施の形態では、予約番号比較部３０、桁数比較部２３又は局番比較部２５により、宛先番号が外線発信用の番号ではないと判別された場合、内線番号比較部２６が、内線番号記憶部２７に保持されている内線番号Ａ６と宛先番号とを比較している。このとき、宛先番号が内線番号記憶部２７に保持される内線番号Ａ６と一致すれば、宛先番号は内線番号であると判別される。一方、宛先番号が、内線番号記憶部２７に保持されている内線番号Ａ６のいずれとも一致しない場合、誤入力判別部２９が、宛先番号の誤入力が行われたと判別し、報知部３３が、この判別結果に基づいて、宛先番号の再確認をユーザに促す表示を行う。このため、外線切替番号の入力忘れとそれ以外の誤入力とを区別することができる。更に、宛先番号と内線番号記憶部に保持されている内線番号Ａ６とを比較するので、外線切替番号の入力忘れなどの誤入力が行われた宛先番号が内線番号と誤って判別されることを抑制することができる。
【００６１】
なお、本実施の形態では、ファクシミリ送信時に宛先番号を入力する場合の動作について説明したが、本発明はこれに限られるものではない。例えば、ファクシミリ送信先の宛先番号をアドレス帳に登録する場合にも本発明は適用可能である。
【００６２】
また、本実施の形態では、ユーザが外線切替番号Ａ１を入力し忘れた場合に、入力忘れをユーザに報知する場合の例について説明したが、本発明はこれに限られるものではない。例えば、ユーザが外線切替番号Ａ１を入力し忘れた場合に、外線切替番号Ａ１を自動的に付加してファクシミリ送信する構成であってもよい。
【符号の説明】
【００６３】
１    複合機
３    交換機
１０    切替番号判別部
２１    宛先番号入力部
２２    送信先切替部
２３    桁数比較部
２５    局番比較部
２６    内線番号比較部
２８    切替番号判別部
２９    誤入力判別部
３０    予約番号比較部
３１    外線送信部
３２    内線送信部
３３    報知部
【図１】
2012151624.tif 000003
【図２】
2012151624.tif 000004
【図３】
2012151624.tif 000005
【図４】
2012151624.tif 000006
【図５】
2012151624.tif 000007
【図６】
2012151624.tif 000008
【図７】
2012151624.tif 000009